【事件の表示】
　特許第３００６６００号「電気掃除機」の請求項１に係る特許に対する特許異議の申立てについて、次のとおり決定する。
【結　論】
　特許第３００６６００号の請求項１に係る特許を維持する。
【理　由】
１．本件発明
　特許第３００６６００号（平成５年７月２９日出願、平成１１年１１月２６日設定登録）の請求項１に係る発明は、その特許請求の範囲の請求項１に記載された次のとおりのものである。
　
【請求項１】内部に集塵室や電動送風機を内蔵する電気掃除機の本体と、この本体前方より着脱自在に接続されるホースユニットと、このホースユニットに接続される延長管と、この延長管に接続される床ノズルを具備し、前記ホースユニットの本体接続部は筒状の管と、前記管に前方から包着したホースと、この包着部を覆う一対のホースカバーを有し、ホースカバーの上方には把手を一体に形成した電気掃除機。
　
２．申立ての理由の概要
　申立ての理由は、本件請求項１に係る発明は、実公昭４９−２６９９７号公報（以下、「甲第１号証」という。）、実願昭５５−６８０５号（実開昭５６−１０８８５９号）のマイクロフィルム（以下、「甲第２号証」という。）、特開昭６２−２９８３２８号公報（以下、「甲第３号証」という。）、実願昭５８−６２３６４号（実開平５９−１６８２５４号）のマイクロフィルム（以下、「甲第４号証」という。）及び特開昭６３−１９１２６号公報（以下、「甲第５号証」という。）に記載された発明に基づいて当業者が容易に発明をすることができたものであるから、本件特許は取り消されるべきものである、というにあるものと認められる。
　
３．甲号各証に記載された発明
　甲第１号証には、以下の事項が図面とともに記載されている。
「電動送風機並びにフィルターを内装しかつ走行体を設けた掃除機本体と、この掃除機本体の吸込口に通気的に接続される可撓ホースと、この可撓ホースを内装でき前記掃除機本体の吸込口に着脱自在に設けられた走行操作用把手とを具備したことを特徴とする真空掃除機。」（実用新案登録請求の範囲）
「そして一方の手の把手６の操作で掃除機本体１を押して掃除機本体１を車輪１４にて移動させる。」（第２頁左欄第３行〜同欄第５行）
「この把手６はホース収納管７と、この収納管７に回動可能に接合したにぎり部となる曲り管８とで構成されている。このように構成されている把手６内には可撓ホース９が収納されており、このホース９の一端は前記蓋体５の吸込口４に着脱自在で通気的に接続され、さらに、このホース９の他端は接続管１０の一端に通気的に接続されている。」（第１頁右欄第８行〜同欄第１５行）
「接続管１０をホース収納管７より引き出すと可撓ホース９もホース収納管７より引出され、この接続管１０に延長管１６、床刷子等の吸込口体１７を接続する。」（第１頁右欄第３５行〜同欄第３８行）
　
　甲第２号証には、以下の事項が図面とともに記載されている。
「１は掃除機本体、２はホースであって、その一方には掃除機本体１の吸引側に差込まれるパイプ３が、他方には延長パイプ４を接続するための曲りパイプ５がそれぞれ設けてある。６は延長パイプ４の先端に接続した床ノズルを示す。」（明細書第３頁第３行〜同頁第７行）
「１７は掃除機本体１に対するパイプ３の差込み状態を保持する尾錠である。」（明細書第４頁第６行〜同頁第７行）
「ホース２が蛇腹状とした可撓性のホースである」（明細書第３頁第１１行〜同頁第１５行）
「外周に上記ホース２が一定長さはめ込まれるパイプ３」（明細書第３頁第１９行〜同頁第２０行）
「そして１８がパイプ３に対するホース２の接続部を覆うカバーであり、剛性を有する合成樹脂で形成した半円状カバー素体１９、２０ を円形状に結合して得たものである。」（明細書第４頁第８行〜同頁第１１行）
　第２図〜第４図には、「パイプ３に蛇腹状ホース２が包着される」構成及び「包着部を覆う一対のホースカバー」の構成が示されている。
　
　甲第３号証には、以下の事項が図面とともに記載されている。
「第１図において、２１は電気掃除機の本体で、前部には集塵袋２２を着脱自在に装着した集塵室２３が設けられ、これに接続パイプ２４が着脱自在に装着されている。」（第２頁左下欄第１９行〜同頁右下欄第２行）
「本体２１の後部にはモータ２９を内蔵するモータ室３０が形成されている。」（第２頁右下欄第２０行〜第３頁左上欄第１行）
「接続パイプ２４は、集塵室２３に装着される第１の水平パイプ２４ａとホースが接続される第２の水平パイプ２４ｂとこの間を接続する傾斜パイプ２４ｃの３つのパイプからなり、」（第２頁右下欄第２行〜同欄第５行）
「３１は第２の水平パイプ２４ｂに接続されたホースで、この接続部の周囲をホースカバー３２で覆っている。」（第３頁左上欄第６行〜同欄第８行）
　第１図及び第３図には、本体２１の前方に突出する運搬用の把手（無番号であるが、本体を示す符号２１で指し示されている。）が形成されていて、この把手が接続パイプ２４の上方に設けられている構成が示されている。
　また、第１図から第３図には、接続パイプ２４ に操作ハンドル２６が設けられ、このハンドル２６が接続パイプ２４の第２の水平パイプ２４ｂの上方に形成されていて、上方から操作可能である構成が示されている。
　
　甲第４号証には、以下の事項が図面とともに記載されている。
「又、掃除機本体１を第３図示のように付属品収納ケース８の上面開ロ部に嵌着して収納保管するようにした場合、把手３が付属品収納ケース８の外周より突出した状態にあって、納まりの悪いものになっていた。」（第２頁第８行〜同頁第１２行）
「吸塵ホースの差込みパイプに把手を設け、この把手により掃除機本体を立てたり、又立てた状態で持ち運ぶようにすることにより、掃除機本体の前端面に突設する把手を省略し、従前の欠点を解消したものである。」（第２頁第１４行〜同頁第１９行）
「合成樹脂よりなる差込みパイプ６に把手９を一体に成型し、この把手９を掃除機本体１の持ち運び用としたものである。而して、掃除機本体１の吸口４に吸塵ホース５の差込みパイプ６を挿入接続した状態で、把手９を持ち掃除機本体１を運ぶようにすれば、……掃除機本体１を落下することなく持ち運ぶことができる。」（第３頁第４行〜同頁第１２行）
　
　甲第５号証の第３図には、掃除機本体が複数のケース要素を結合してなるとともに、この掃除機本体の前方に突出して吸気口の上方に位置する把手（無番号）が互いに合わさっている一対のケース要素に一体に形成されている構成が示されている。
　
４．対比・判断
　本件請求項に係る発明と、甲号各証に記載された発明を比較すると、甲号各証には、本件請求項１に係る発明の必須の構成である「包着部を覆う一対のホースカバーを有し、ホースカバーの上方には把手を一体に形成した」点が記載されていない。
　甲第１号証には、走行操作用の「把手」が記載されているが、該「把手」は、ホースユニットと掃除機本体の接続部に相当するものを「把手」として利用しているものであり、該「把手」はホースを内部に収納可能としているものの、請求項１に係る発明でいうところの「包着部を覆う一対のホースカバー」ではなく、また、該「把手」が「ホースカバーの上方に」、「一体に形成」されたものでもない。
　甲第２号証には、「包着部を覆う一対のホースカバーを有し」ている点は記載されているが、「把手」に関しての何ら記載されていない。
　甲第３号証及び甲第５号証には、「把手」が掃除機本体に設けられているものが記載されているのみであり、「把手」を「ホースカバーの上方に」、「一体に形成」した点は記載されていない。
　甲第４号証には、「把手」を掃除機本体ではなくホースユニットの接続部に設けた点が記載されているが、「ホースカバー」に相当する構成が明らかでなく、「把手」を「ホースカバーの上方に」、「一体に形成」した点は記載されていない。
　また、甲号各証に記載されたそれぞれの構成を組み合わせたとしても、「ホースカバーの上方に設けられた把手」および「包着部を覆う一対のホースカバー」が個別に導き出せるのみであり、「ホースカバー」に「把手」が一体となってる点については導き出されるものではなく、「包着部を覆う一対のホースカバーを有し、ホースカバーの上方には把手を一体に形成した」構成には到達し得ない。
　そして、本件請求項１に係る発明では、この構成を備えることにより「ホースユニットを構成するホースカバーに把手を形成したので、本体の前方に把手を形成する必要がなく、従って本体を小型化できる。また、スタンド収納状態にある掃除機をそのまま把手をもって掃除場所まで直ちに運搬でき、掃除終了後は、逆に使用場所でスタンド収納状態にして保管場所までホースユニットの本体接続部に形成した把手をもって片手で運搬することにより、手軽に運搬できることとなる。また、スタンド収納状態で把手を持って持ち上げても、本体が左右に傾くことなく安定して行うことができる。加えて、把手をホースカバーに一体に形成することで、安価に、かつ強固に提供できる」という格別の効果を奏するものである。
　したがって、その余の構成について論ずるまでもなく、本件請求項１に係る発明は、甲号各証に記載された発明に基づいて当業者が容易に発明をすることができたものとは認められない。
　
５．むすび
　以上のとおりであるから、特許異議申立の理由及び証拠によっては本件発明についての特許を取り消すことはできない。
　また、他に本件発明についての特許を取り消すべき理由を発見しない。
　
　よって結論のとおり決定する
【異議決定日】
平成１２年１０月２４日（２０００．１０．２４）